(57)【要約】      （修正有）【課題】２本のプラスチック光ファイバーを一体に迅速かつ相互に接続できるコネクターを提供する。【解決手段】一対の接続可能な第１、第２の接続部１，２からなり、前記両接続部はメール・メンバー１１とフィメール・メンバー１２とからなり、メール・メンバー１１には係合ブロック１１１とフランジ１１２が形成され、且つメール・メンバー１１内に二つのファイバー・チャンネル１１３を有し、フィメール・メンバー１２には接続孔１２１が形成され、且つ内面に掛止ブロック１２２を形成し、更にフィメール・メンバー１２は二つの光ファイバー・チャンネル１１３を有し、光ファイバー・チャンネル１１３の内側面に数個の爪体１２３１を外向きに伸出して形成し、メール・メンバー１１とフィメール・メンバー１２を接続可能に構成する。【選択図】図１
0003144729.tif 000002
【実用新案登録請求の範囲】
【請求項１】
プラスチック光ファイバー・コネクターの構造であって、
少なくとも第１の接続部と第２の接続部を含み、
前記第１の接続部はメール・メンバーとフィメール・メンバーとを含み、
前記メール・メンバーの両側には夫々一つの係合ブロックとフランジが設置され、且つメール・メンバーの内に光ファイバー・チャンネルを二つ具備し、
前記フィメール・メンバーの一側には接続孔が形成され、
前記フィメール・メンバーの内面には前記メール・メンバーの光ファイバー・チャンネルに掛止可能な掛止ブロックが形成され、
更にフィメール・メンバー内には二つの光ファイバー・チャンネルを具備し、
前記光ファイバー・チャンネルの内面には少なくとも一つ以上の爪体を外向きに伸出して形成し、
光ファイバー・チャンネルの外側面には一つの接続孔が形成され、
他の光ファイバー・チャンネルの内側面には一つのガイド面が形成され、且つ少なくとも一つ以上の爪体を外向きに伸出して形成し、
光ファイバー・チャンネルの外側面には一つの接続端を外向きに伸出して形成し、
同様に接続端の内には一つのガイド面が形成され、
前記フィメール・メンバーがメール・メンバーを互いに嵌挿できるように、フィメール・メンバーの掛止ブロックがメール・メンバーの係合ブロックを互いに係止でき、
且つフィメール・メンバーの光ファイバー・チャンネルがメール・メンバーの光ファイバー・チャンネルに対応して設置し、
前記第２の接続部はメール・メンバーとフィメール・メンバーを含み、
前記メール・メンバーの両側には夫々一つの係合ブロックとフランジが設置され、
且つメール・メンバーの内に光ファイバー・チャンネルを具備し、
前記フィメール・メンバーの一側には接続孔が形成され、
フィメール・メンバーの内面には前記メール・メンバーの光ファイバー・チャンネルに掛止可能な掛止ブロックが形成され、
更にフィメール・メンバーの内に二つの光ファイバー・チャンネルを具備し。
前記光ファイバー・チャンネルの内面には少なくとも一つ以上の爪体を外向きに伸出して形成し、
前記光ファイバー・チャンネルの外面には一つの接続孔が形成され、
他の光ファイバー・チャンネルの内面には一つのガイド面が形成され、
且つ少なくとも一つ以上の爪体を外向きに伸出して形成し、
前記光ファイバー・チャンネルの外側面には一つの接続端を外向きに伸出して形成し、
前記接続端の内部にはガイド面が形成され、
前記フィメール・メンバーがメール・メンバーを互いに連結できるように、フィメール・メンバーの掛止ブロックとメール・メンバーの係合ブロックとが互いに係止可能であり、
前記フィメール・メンバーの光ファイバー・チャンネルと、前記メール・メンバーの光ファイバー・チャンネルとを対応して設置でき、
前記第１の接続部の接続端を第２の接続部の接続孔内に内挿させ、且つ第２の接続部の接続端を第１の接続部の接続孔内に内挿させて前記第１及び第２の接続部を互いに接続可能に構成したことを特徴とするプラスチック光ファイバー・コネクターの構造。
【請求項２】
前記メール・メンバーの光ファイバー・チャンネルは、径小の孔と径が徐々に大径となるテーパ状のチャンネルであることを特徴とする請求項１に記載のプラスチック光ファイバー・コネクターの構造。
【請求項３】
前記ガイド面は、プラスチック光ファイバーの光ファイバー・フィラメントをフィメール・メンバーの光ファイバー・チャンネルの内に精密に挿入するようにガイド機能を有することを特徴とする請求項１に記載のプラスチック光ファイバー・コネクターの構造。
【請求項４】
前記第１の接続部と第２の接続部は、一つの固結部材を介して両接続部の接続孔に設置して、互いに両接続部を一体に固結することを特徴とする請求項１に記載のプラスチック光ファイバー・コネクターの構造。
【考案の詳細な説明】
【技術分野】
【０００１】
本考案はプラスチック光ファイバー・コネクターの構造に関するもので、特に両プラスチック光ファイバーを互いに接続できるプラスチック光ファイバー・コネクターの構造に関するものである。
【背景技術】
【０００２】
現在、人々がデータの伝送及び信号のチャンネルの帯域幅に対する需要量は、益々高くなっている。
光ファイバー技術は伝送する上で、低損失，広帯域，非導電，非誘導，小寸法，小屈曲半径と軽重量等の利点を活かせるように研究が進められている。
既に光ファイバー通信がネットワーク伝送の主要な媒体となっている。
【０００３】
既に光ファイバーは大衆ネットワーク伝送に広汎に応用されている。
然しながら光ファイバーの形成可能な長さが有限的であるため、長さが不足する時には、更に他のプラスチック光ファイバーを接続する必要がある。
必要な設置位置に達成するまで、光ファイバーを接続して長さを増長している。
【０００４】
一般的なプラスチック光ファイバーを接続する方式が普遍的になっていないために、２本のプラスチック光ファイバーを一体に接続することが非常に困難である。
光ファイバーを溶接方式により接続しても、現場における溶接する操作が非常に不便であるだけでなく、溶接設備も非常に複雑で高価なものとなる。
【０００５】
以上のように、従来慣用されているプラスチック光ファイバーの接続方式には多くの問題点があり、良好な設計ではないため、改良する必要がある。
【０００６】
本考案は、前記した従来の接続方式により生成される多数の欠点を解決するために成されたものである。
【考案の開示】
【考案が解決しようとする課題】
【０００７】
本考案の主要な目的は、コネクターを介して２本のプラスチック光ファイバーを一体に迅速かつ相互に接続でき、これにより、工事の迅速さ，便利さなどの機能を達成し、且つ工事上では如何なる場所や空間に制限されないプラスチック光ファイバー・コネクターの構造を提供することにある。
【０００８】
さらに本考案の次の目的は、構造が簡単で、操作がし易すく、製作コストの低減を図れるプラスチック光ファイバー・コネクターの構造を提供することにある。
【課題を解決するための手段】
【０００９】
本考案に係るプラスチック光ファイバー・コネクターの構造は、主として相対称する二つの接続部を含んで互いに接続してなるが、その中でも、前記接続部がメール・メンバーを一つ含み、前記メール・メンバーがプラスチック光ファイバーを挿設する入口端となり、そして前記メール・メンバーの両側に夫々一つの係合ブロックとフランジが設置され、且つメール・メンバーの内に内径小・外径大のテーパー状の光ファイバー・チャンネルを二つ具し、その他に一つのフィメール・メンバーがその内にメール・メンバーを挿設するように供し、そして前記フィメール・メンバーの両側に何れも一つの接続孔が設置され、且つフィメール・メンバーの内側面の両側に何れも一つの掛止ブロックを具し、更にフィメール・メンバーの内に二つの光ファイバー・チャンネルを具し、前記光ファイバー・チャンネルがメール・メンバーの光ファイバー・チャンネルに互いに接続して挿設するが、その中でも、フィメール・メンバー内の光ファイバー・チャンネルの内側面に数個の爪体を外向きに伸ばして出し、外側面に一つの接続孔が内向きに凹設され、そして他の光ファイバー・チャンネルの内側面に一つのガイド面が形成され、且つ数個の爪体を外向きに伸ばして出し、そして外側面に一つの接続端を外向きに伸ばして出し、同様に接続端の内に一つのガイド面が形成され、この時にメール・メンバーの一端をフィメール・メンバーの内に挿入することにより、接続部を一つ構成するが、最後に対称する二つの接続部が夫々接続孔と接続端を介して互いに接続し、更に固結部材を介して二つの接続部を一体に結合し、即ち本考案のプラスチック光ファイバー・コネクターの構造を形成する。
【考案の効果】
【００１０】
本考案に係るプラスチック光ファイバー・コネクターの構造は、つぎの効果を得ることができる。
【００１１】
（１）本考案は、２本のプラスチック光ファイバーを１本のプラスチック光ファイバー・チャンネルに迅速かつ相互に接続できる。
本考案の接続方式を採用することにより、工事の迅速さ，便利さを改善できることの外に、場所や空間に制限されずに工事を行うことができる。
【００１２】
（２）接続構造を簡略化できるだけでなく、接続操作も簡易化でき、さらに製作コストも低減することができる。
【考案を実施するための最良の形態】
【００１３】
以下図面を参照しながら考案を実施するための最良の形態について説明する。
【００１４】
図１と図２は本考案に係るプラスチック光ファイバー・コネクターの構造の分解斜視図および結合斜視図である。
【００１５】
図１と図２に示すように、本考案に係るプラスチック光ファイバー・コネクターは、主として第１の接続部１と第２の接続部２とを具備する。
【００１６】
第１の接続部１は、メール・メンバー１１とフィメール・メンバー１２から構成される。
【００１７】
メール・メンバー１１の両側には夫々一つの係合ブロック１１１と一つのフランジ１１２が設置される。
メール・メンバー１１内には内径が小さい孔と径が徐々に大きくなったテーパー状の光ファイバー・チャンネル１１３を二つ具備する。
二つの光ファイバー・チャンネル１１３はプラスチック光ファイバー４を挿入セットするためのものである。
メール・メンバー１１の二つの光ファイバー・チャンネル１１３には、フィメール・メンバー１２の爪体１２３１，１２４２が嵌挿される。
【００１８】
フィメール・メンバー１２の一側の大径フランジには複数の接続孔１２１が設れられている。
フィメール・メンバー１２の内面には、環状に掛止ブロック１２２が突設されている。
更にフィメール・メンバー１２は、その内部に二つの光ファイバー・チャンネル１２３，１２４を有する。
【００１９】
その光ファイバー・チャンネル１２３には数個の爪体１２３１が外向き（一端）に延出し、光ファイバー・チャンネル１２３の外側面には一つの接続孔１２３２が内向き（他端）に凹設されている。
【００２０】
他の光ファイバー・チャンネル１２４の内側面には、一つのガイド面１２４１が形成され、且つ数個の爪体１２４２が外向き（一端）に延出し、光ファイバー・チャンネル１２４の外側面には一つの接続端１２４３が外向き（他端）に向けて延出されている。
接続端１２４３の内部には、一つのガイド面１２４１が形成されている。
【００２１】
フィメール・メンバー１２は以下の掛止構造要素によりフィメール・メンバー１１を互いに嵌挿できるようになっている。
フィメール・メンバー１２の掛止ブロック１２２はメール・メンバー１１の係合ブロック１１１を互いに係止できる。且つフィメール・メンバー１２の光ファイバー・チャンネル１２３，１２４がメール・メンバーの光ファイバー・チャンネル１１３に対応して設置できる。
【００２２】
前記ガイド面１２４１は、プラスチック光ファイバーの光ファイバー・フィラメントをフィメール・メンバー１２の光ファイバー・チャンネル１２３，１２４の内に精密に挿入するようにガイドするために機能する。
【００２３】
第２の接続部２は、一つのフィメール・メンバー２１とフィメール・メンバー２２から構成される。
【００２４】
メール・メンバー２１の両側には夫々一つの係合ブロック２１１とフランジ２１２が設置される。
メール・メンバー２１１１内には内径が小さい孔と径が徐々に大きくなったテーパー状の光ファイバー・チャンネル２１３を二つ具備する。
【００２５】
二つの光ファイバー・チャンネル２１３は、を挿入セットするためのものである。
前記メール・メンバー２１が光ファイバー・チャンネル２１３を介してフィメール・メンバー２２の爪体２２３１，２２４２に嵌挿される。
【００２６】
フィメール・メンバー２２の一側の大径フランジには複数の接続孔２２１が設けられている。
フィメール・メンバー２２の内側面の両側に夫々一つの掛止ブロック２２２が設けられる。
【００２７】
更にフィメール・メンバーの内に二つの光ファイバー・チャンネル２２３，２２４を具し、その光ファイバー・チャンネル２２３の内側面に数個の爪体２２３１を外向きに伸ばして出し、光ファイバー・チャンネル２２３の外側面に一つの接続孔２２３２が内向きに凹設されている。
【００２８】
他の光ファイバー・チャンネル２２４の内側面には一つのガイド面２２４１が形成されている。
且つ数個の爪体２２４２を外向きに伸ばして出し、そして光ファイバー・チャンネル２２４の外側面に一つの接続端２２４３を外向きに伸出して設けられている。
接続端２２４３の内部には、一つのガイド面２２４１が形成されている。
【００２９】
フィメール・メンバー２２は以下の掛止構造要素によりフィメール・メンバー１１を互いに嵌挿できるようになっている。
フィメール・メンバー２２の掛止ブロック２２２がメール・メンバー２１の係合ブロック２１１を互いに係止でき、且つフィメール・メンバー２２の光ファイバー・チャンネル２２３，２２４がメール・メンバーの光ファイバー・チャンネル２１３に対応して設置できる。
【００３０】
前記ガイド面２２４１は、プラスチック光ファイバー４の光ファイバー・フィラメント４１をフィメール・メンバー２２の光ファイバー・チャンネル２２３，２２４の内に精密に挿入するようにガイドするために機能する。
【００３１】
第１の接続部１と第２の接続部２とは以下の接続構造により互いに接続できるようになっている。
第１の接続部１の接続端１２４３は第２の接続部２の接続孔２２３２に内挿でき、また第２の接続部２の接続端２２４３は第１の接続部１の接続孔１２３２に内挿可能である。
更に固結部材３を両接続部１，２の接続孔１２１，２２１に挿入設置することにより、互いに両接続部１，２を一体に固結できる。
前記の各部材の接続構造により、即ち本考案のプラスチック光ファイバー・コネクターの構造を形成する。
【００３２】
図３Ａと図３Ｂに前記プラスチック光ファイバー・コネクターの構造のプラスチック光ファイバーの接続を実施するための模式図を示す。
図３Ａに示すように、２本の各プラスチック光ファイバー４は夫々第１の接続部１と第２の接続部２のメール・メンバー１１，２１から光ファイバー・チャンネル１１３，２１３に挿入されて、各プラスチック光ファイバー４の光ファイバー・フィラメント４１が互いに接続される。
傾斜したガイド面１２４１，２２４１を介して、光ファイバー・フィラメント４１同士を精密かつ相互に接続できる。
これにより、接続する際に偏心することを回避できる。
プラスチック光ファイバー４を所定の位置へ位置決めするまで、両接続部１，２のメール・メンバー１１，２１を同時にフィメール・メンバー１２，２２に推移する。
この時、メール・メンバー１１，２１を利用し、光ファイバー・チャンネル１１３，２１３がテーパー状となり、且つフランジ１１２，２１２の設置に対応し、フランジ１１２，２１２が掛止ブロック１２２，２２２を摺動して経由した時に、メール・メンバー１１，２１の光ファイバー・チャンネル１１３，２１３が内向きに押し付けられ、同時にフィメール・メンバー１２，２２内の各爪体１２３１，１２４２，２２３１，２２４２が圧迫される。
圧迫された各爪体１２３１，１２４２，２２３１，２２４２はプラスチック光ファイバー４の外皮に歯合される。
その結果、プラスチック光ファイバー４が脱離できず、ひいてはプラスチック光ファイバー４の位置決めを達成できる。
【００３３】
以上のように本考案の接続方式により、接続操作の迅速さ，工事の便利さを改善できる。
更に複雑で高価なプラスチック光ファイバーを接続するための専用設備を設置する必要もなく、２本のプラスチック光ファイバー４の迅速な位置決めを達成できる。
プラスチック光ファイバー４の光ファイバー・フィラメント４１を精確に接続できることにより、本考案はプラスチック光ファイバー４の接続に広く応用して普及的に使用できる。
【００３４】
前記の詳細な説明は、本考案に対する実行可能な実施例の具体の説明であるが、但し前記実施例が本考案の実用新案登録請求の範囲を限定するように用いられるものではなく、本考案の技術精神をまだ脱逸しなくてなる等価な実施または変更がいずれも本考案の実用新案登録請求の範囲内に含まれるべきである。
【図面の簡単な説明】
【００３５】
【図１】本考案のプラスチック光ファイバー・コネクターの構造の分解斜視図である。
【図２】前記プラスチック光ファイバー・コネクターの構造の結合斜視図である。
【図３Ａ】前記プラスチック光ファイバー・コネクターの構造のプラスチック光ファイバーの接続の実施模式図である。
【図３Ｂ】前記プラスチック光ファイバー・コネクターの構造のプラスチック光ファイバーの接続の実施模式図である。
【符号の説明】
【００３６】
１  第１の接続部
２  第２の接続部
３  固結部材
４  プラスチック光ファイバー    
１１  メール・メンバー
１２  フィメール・メンバー
２１  メール・メンバー
２２  フィメール・メンバー
４１  光ファイバー・フィラメント
１１１  係合ブロック
１１２  フランジ
１１３  光ファイバー・チャンネル
１２１  接続孔  
１２２  掛止ブロック
１２３  光ファイバー・チャンネル
１２４  光ファイバー・チャンネル
２１１  係合ブロック
２１２  フランジ
２１３  光ファイバー・チャンネル
２２１  接続孔
２２２  掛止ブロック
２２３  光ファイバー・チャンネル
２２４  光ファイバー・チャンネル
１２３１  爪体
１２３２  接続孔
１２４１  ガイド面
１２４２  爪体
１２４３  接続端
２２３１  爪体
２２３２  接続孔
２２４１  ガイド面
２２４２  爪体
２２４３  接続端
【図１】
0003144729.tif 000003
【図２】
0003144729.tif 000004
【図３Ａ】
0003144729.tif 000005
【図３Ｂ】
0003144729.tif 000006